(57)【要約】【課題】便座の厚みを比較的に薄く感じさせてコンパクトにし、さらには清潔にするトイレ装置である。【解決手段】便器１の後端部上に横長に設けるトイレ機能内蔵のトイレ本体と、前記トイレ本体に設け、前記便器の上面との間に間隙７を有して便器上に位置する便座２と、前記トイレ本体に設け、前記便座および前記トイレ本体を覆う開閉自在な便蓋とを備え、前記便座はその底面に向かって外周側面９を内方へ、および内周側面１０を外方へそれぞれ傾斜させ、かつ前記外周側面の傾斜を前記内周側面より奥深く形成してなるトイレ装置である。便座の厚みを増しながら、コンパクトに見せられ、かつ間隙を狭め、用便等の排水時における便器内からの飛沫の隙間への侵入を抑制し、清潔にすることが可能になる。【選択図】　図２
2004065545.tif 000002
【特許請求の範囲】
【請求項１】
便器の後端部上に横長に設けるトイレ機能内蔵のトイレ本体と、前記トイレ本体に設け、前記便器の上面との間に間隙を有して便器上に位置する便座と、前記トイレ本体に設け、前記便座または前記便座および前記トイレ本体を覆う開閉自在な便蓋とを備え、前記便座はその底面に向かって外周側面を内方へ、および内周側面を外方へそれぞれ傾斜させ、かつ前記外周側面の傾斜を前記内周側面より奥深く形成してなるトイレ装置。
【請求項２】
便器の後端部上に横長に設けるトイレ機能内蔵のトイレ本体と、前記トイレ本体に設け、前記便器の上面との間に間隙を有して便器上に位置する便座と、前記トイレ本体に設け、前記便座または前記便座および前記トイレ本体を覆う開閉自在な便蓋とを備え、前記便座はその底面に向かって外周側面を内方へ、および内周側面を外方へそれぞれ傾斜させ、かつ前記外周側面の傾斜を前記内周側面より奥深く形成し、前記便座の内周側面は、前記便座の底面が所定幅を確保できる形状に形成してなるトイレ装置。
【請求項３】
便器の後端部上に横長に設けるトイレ機能内蔵のトイレ本体と、前記トイレ本体に設け、前記便器の上面との間に間隙を有して便器上に位置する便座と、前記トイレ本体に設け、前記便座または前記便座および前記トイレ本体を覆う開閉自在な便蓋とを備え、前記便座はその底面に向かって外周側面を内方へ、および内周側面を外方へそれぞれ傾斜させ、かつ前記外周側面の傾斜を前記内周側面より奥深く形成し、前記便座の内周側面は、前記便座の底面が所定幅を確保できる略垂直の円弧面状に形成してなるトイレ装置。
【請求項４】
請求項１〜３のいずれかに記載のトイレ装置であって、トイレ本体を便器の後端部上に横長に設けてなるトイレ装置。
【発明の詳細な説明】
【０００１】
【発明の属する技術分野】
本発明は、便座およびその便蓋を備え、人体局部を洗浄するトイレ機能を有するトイレ本体を便器の後端部上に設けて使用するトイレ装置に関する。
【０００２】
【従来の技術】
この種従来のトイレ装置は、図３、図４に示すように便器３１上に設けた便座３２、その便蓋３３、そして便座３２と便蓋３３の後端部を軸で支持して開閉自在に取り付け、便器３１の後端部上に設置したトイレ本体３４を備えている。そして、トイレ装置は便蓋３３を開けて直立させ、一つの形態として便座３２に使用者が着座して使用するものである。
【０００３】
この種のトイレ装置では使用者が使用のため着座状態、使用後の立ち上がりが円滑に行えるように、便器３１を含めた便座３２は一定の高さが必要である。また、便器３１上に載った輪状の便座３２は、長い距離をもつ底面３５と、トイレ本体３４に軸支した便座腕部３６との構造上から、底面３５を便器３１の上面と面一に接して載せるのは困難なので、底面３５の数カ所に脚となる突出部３７を設け、この突出部３７を便器３１の上面に接触させて心地よい着座を達成している。このため便座３２は便器３１の上面との間に間隙３８が生じている。また、便座３２は図４に示すように外周側面３９と内周側面４０を、それぞれ底面３５に向かって内方と外方へ同じ角度で傾斜させている。
【０００４】
このように便座３２は、便器３１を含めて所定の高さが必要なので、便器３１との相対的な関係に基づき、所定の太さ（厚さまたは高さ）が必要であり、また間隙３８が便器３１との間で生じるものである。従って、便座３２はどうしても太さが増し、使用者の視野にはコンパクトに映らなく、太い輪を感じさせてしまう恐れがあった。また、間隙３８には用便および排水時における便器３１内からの飛沫が侵入して底面３５、便器３１の上面を汚し、かつ間隙３８が大きいと間隙外へ飛び出る恐れも考えられるものであった。
【０００５】
このような従来のトイレ装置における便座の問題点に基づき、さらに便座について考えると、便座は所定の幅と、便器の上面との間隙をできるだけ狭めて用便および排水時における便器内からの飛沫が間隙へ侵入するのを抑制して清潔にするため、所定の厚み（高さ）をそれぞれ必要とし、かつ着座するため所定の強度も必要である。従って、便座はどうしても厚くなり、かつ幅広くなり、便座の外観から使用者の視野には、コンパクトに映らなくなる恐れがあり、これらを解消する視点で便座を追求したトイレ装置は明らかにされていなかった。
【０００６】
【発明が解決しようとする課題】
上記従来の技術の問題点に鑑み、本発明が解決しようとする課題は、便座の厚みを、できるだけ感じさせないようにしたコンパクトで、かつ清潔なトイレ装置を提供することにある。
【０００７】
【課題を解決するための手段】
上記従来の技術の問題点を解決するため本発明のトイレ装置は、便器に載せた便座は便器の上面との間に間隙を有し、かつ便座はその底面に向かって外周側面を内方へ、および内周側面を外方へそれぞれ傾斜させ、前記外周側面の傾斜を前記内周側面より奥深く形成したもので、便座の厚みを比較的に薄く感じさせてコンパクトにし、さらには清潔にできるものである。
【０００８】
【発明の実施の形態】
上記した本発明の目的は、各請求項に記載した構成を実施の形態とすることにより達成できるので、以下には各請求項の構成にその構成による作用効果を併記し併せて請求項記載の構成のうち説明を必要とする特定用語については詳細な説明を加えて、本発明における実施の形態の説明とする。
【０００９】
請求項１記載に係る発明は、便器の後端部上に横長に設けるトイレ機能内蔵のトイレ本体と、トイレ本体に設け、便器の上面との間に間隙を有して便器上に位置する便座と、トイレ本体に設け、便座または便座およびトイレ本体を覆う開閉自在な便蓋とを備え、便座はその底面に向かって外周側面を内方へ、および内周側面を外方へそれぞれ傾斜させ、かつ外周側面の傾斜を内周側面より奥深く形成してなるトイレ装置である。
【００１０】
上記実施の形態において、便器に載った便座を周りから見た時に、内周側面より奥深く傾斜させた外周側面により、便座における底面の間隙の入り口となる便器との間隙が奥深い略三角形状となって便座の厚み（高さ）を比較的に薄く感じさせることが可能になるとともに、内周側面側の便器との間隙は、結果として外側より浅い略三角形状になる。従って、余り厚さを気にすることなく便座の厚みを増して便器の上面との間隙をできるだけ狭め、用便および排水時における便器内からの飛沫の間隙への侵入を抑制し、清潔にすることが可能になるとともに、結果的に便座の着座高さを適切にすることにも貢献できることになる。
【００１１】
請求項２記載に係る発明は、便器の後端部上に横長に設けるトイレ機能内蔵のトイレ本体と、トイレ本体に設け、便器の上面との間に間隙を有して便器上に位置する便座と、トイレ本体に設け、便座または便座およびトイレ本体を覆う開閉自在な便蓋とを備え、便座はその底面に向かって外周側面を内方へ、および内周側面を外方へそれぞれ傾斜させ、かつ外周側面の傾斜を内周側面より奥深く形成し、便座の内周側面は、便座の底面が所定幅を確保できる形状に形成したトイレ装置である。
【００１２】
上記実施の形態において、外周側面により便座の厚みを比較的に薄く感じさせることが可能になるだけでなく、便座の底面を所定幅を確保できる形状に便座の内周側面を形成したことにより、用便および排水時における便器内からの飛沫が便座の底面に対向する便器との間に生じている間隙外に飛び散るのを防止することが可能になる。
【００１３】
すなわち、便座の外周側面は内周側面より奥深く傾斜させたことにより、便座の底面の幅が短くなり、結果的に便座の底面に対向する便器との間に生じている間隙の幅が短くなり、便器内からの飛沫が幅の短くなった間隙を通じて外へ飛び出す恐れが考えられる。
【００１４】
然るに本実施の形態では、便座の底面が所定幅を確保できる形状に形成した便座の内周側面により、間隙への便器内からの飛沫の侵入を抑制できるだけでなく、結果的に便座の底面に対向する便器との間に生じている間隙が所定幅を確保されて間隙を通じて用便および排水時における便器内からの飛沫が外へ飛び出す恐れを解消することが可能になる。
【００１５】
請求項３記載に係る発明は、便器の後端部上に横長に設けるトイレ機能内蔵のトイレ本体と、トイレ本体に設け、便器の上面との間に間隙を有して便器上に位置する便座と、トイレ本体に設け、便座または便座およびトイレ本体を覆う開閉自在な便蓋とを備え、便座はその底面に向かって外周側面を内方へ、および内周側面を外方へそれぞれ傾斜させ、かつ外周側面の傾斜を内周側面より奥深く形成し、便座の内周側面は、便座の底面が所定幅を確保できる略垂直の円弧面状に形成したトイレ装置で、外周側面により便座の厚みを比較的に薄く感じさせることが可能になるだけでなく、便座の底面が所定幅を確保できる略垂直の円弧面状に便座の内周側面を形成したことにより、用便等の排水時における便器内からの飛沫が間隙外に飛び散るのを防止することが可能になる。
【００１６】
請求項４記載に係る発明は、請求項１〜３のいずれかに記載のトイレ装置であって、トイレ本体を便器の後端部上に横長に設けたトイレ装置で、便座の厚みを比較的に薄く感じさせ、コンパクトなトイレ装置にできる。
【００１７】
以下本発明のトイレ装置における一実施の形態につき、図面に従い説明する。
【００１８】
（実施の形態１）
図１は本発明におけるトイレ装置で、便蓋を開いた状態を示す概略斜視図で、図２は図１のＡ−Ａ線での拡大断面図である。トイレ装置は、便器１上に載せた便座２と、便蓋３と、そして便座２と便蓋３の後端部を支持して開閉自在に取付け、便器１の後端部上に設置した横長のトイレ本体４を備えている。トイレ本体４は、用便後の人体局部を温水で洗浄する肛門用、ビデ用の洗浄ノズル、洗浄後の人体局部を乾燥させる装置、臭気を脱臭する装置等（いずれも図示せず）のトイレ機能を内蔵している。
【００１９】
便座２は、大きな輪状に形成され、便器１の上面に載せて心地よい着座ができるように、長い距離をもつ輪状の底面５が、便器１の上面とバランスよく接するように底面５の数カ所に脚６を設け、かつ両側端部より突出させた腕部８、８を有する。従って、便座２は便器１との間に所定幅の間隙７を生じている。
【００２０】
便座２は、使用者が使用のため着座と使用後の立ち上がりが円滑に行えるようにするため、便器１に載せた状態で所定の高さが保たれ、かつ良好な着座心地および強度と、用便および排水時における便器１からの飛沫が間隙７への侵入を抑制し、かつ間隙外へ飛び出る恐れを解消するため間隙７を狭めること等を考慮して、厚み（高さ）と幅を設定している。
【００２１】
さらに便座２は、その底面５に向かって外周側面９の中央から下部分９ａを内方へ、および内周側面１０の中央から下部分１０ａを外方へそれぞれ傾斜させ、かつ外周側面９の下部分９ａの傾斜を、内周側面１０の中央から下部分１０ａより奥深く形成している。そして、便座２の内周側面１０は、便座２の底面５が所定幅Ｈを確保できる形状の一つとして略垂直の円弧面状に形成している。
【００２２】
１１は、外周側面９の下部分９ａと便器１の上面との間に生じる大きな略三角形状の間隙で、１２は同じく内周側面１０の下部分１０ａと便器１の上面との間に生じる小さな略三角形状の間隙である。
【００２３】
トイレ本体４は、その両側端部との間で相対的に突出させ、便座２の腕部８の間に位置する前面部１３を有し、この前面部１３の側面に便座２の腕部８を回転自在に支持している。なお、便蓋３は便座２とトイレ本体４の上面および外周側面を覆う上面が僅かに円弧面を成した略平らな一枚ものの大きさに設定され、常には便座２だけでなくトイレ本体４にも埃がかからないようにして、略平らな一枚ものの便蓋３を拭くだけで通常の掃除が簡単に済ませられるように構成している。
【００２４】
上記実施の形態において、トイレ装置は図１に示すように使用者が便蓋３を開いて便座２に着座して使用するものである。そして、このように使用者が着座する便座２は、便器１に載せた状態で所定の高さが保たれ、使用者の便座２への着座と使用後の立ち上がりが円滑に行えるとともに、かつ良好な着座心地および用便および排水時における便器１からの飛沫が間隙７に侵入するのが抑制される。
【００２５】
特に本実施の形態では、便器１に載った便座２を周りから見た時に、内周側面より奥深く傾斜させた外周側面９の下部分９ａにより、便座１との間隙１１も奥深い略三角形状となって便座２の厚み（高さ）を比較的に薄く感じさせることができる。一方、内周側面１０側の便器１との間隙１２は、外側より浅い略三角形状になり、結果として便座２の底面５に対向する間隙７は、所定幅が確保される。
【００２６】
従って、便座２は余り厚さを気にすることなく、厚みを増して便座２の底面５に対向する便器１の上面との間隙７をできるだけ狭め、用便および排水時における便器１内からの飛沫の間隙７への侵入を抑制し、清潔にすることができるとともに、結果的に便座２の着座高さを適切にすることにも貢献できる。
【００２７】
また、本実施の形態では、便座２の内周側面１０の下部分１０ａを、便座２の底面５の幅に相当する便器１の上面との間隙７が所定幅Ｈを確保できる形状である略垂直の円弧面状に形成したので、用便および排水時における便器内からの飛沫が間隙７外に飛び散るのを防止することができる。
【００２８】
すなわち、便座２の外周側面９の下部分９ａは内周側面１０の下部分１０ａより奥深く傾斜させているので、便座２の底面７の幅が短くなり、結果的に便座２の底面５に対向する便器１との間に生じている間隙７の幅が短くなり、便器１内からの飛沫が幅の短くなった間隙を通じて外へ飛び出す恐れが考えられる。
【００２９】
然るに本実施の形態では、間隙７である便座２の底面５が所定幅Ｈを確保できる形状である内周側面１０が略垂直の円弧面状に形成しているので、便器１と下部分１０ａとの間に生じる間隙１２が浅い略三角形状となり、便器１内からの飛沫が下部分１０ａに当たって間隙７の奥へ侵入するのを抑制できるだけでなく、便座２の底面５が所定幅Ｈを確保されて間隙７を通じて用便および排水時における便器内からの飛沫が外へ飛び出す恐れを解消することができる。
【００３０】
なお、本実施の形態では、便座からトイレ本体まで覆う大きさの便蓋を備えたトイレ装置に本発明を実施したが、便座だけを覆う大きさの便蓋を備えたトイレ装置に適用しても本実施の形態と同様の効果を期待できる。
【００３１】
【発明の効果】
以上のように本発明は、便座の厚みを薄く感じさせてコンパクトにでき、さらには清潔にすることも可能なトイレ装置を提供できる。
【図面の簡単な説明】
【図１】本発明の実施の形態１におけるトイレ装置で、便蓋を開いた状態を示す概略斜視図
【図２】図１のＡ−Ａ線での拡大断面図
【図３】従来例におけるトイレ装置で、便蓋を開いた状態を示す概略斜視図
【図４】図３のＢ−Ｂ線での拡大断面図
【符号の説明】
１　便器
２　便座
３　便蓋
４　トイレ本体
５　底面
６　脚
７　間隙
９　外周側面
９ａ　下部分（外周側面）
１０　内周側面
１０ａ　下部分（外周側面）
【図１】
2004065545.tif 000003
【図２】
2004065545.tif 000004
【図３】
2004065545.tif 000005
【図４】
2004065545.tif 000006